(57)【要約】  患者の歯に装着可能な接着剤付きブラケット用包装容器で、ブラケットは、収納室内に取り付けられ、収納室から取り外し可能で、直接患者の歯の上の適所に配置することができるように、ブラケットの背面に接着剤を備える。ブラケットは、本体と、基部と、光エネルギーやそれ以外の使用により、後に硬化可能な光硬化性またはその他の硬化性ポリマー樹脂の層を基部上に含む。包装容器は、接着可能なブラケットのための受け台を含み、収納室の隔室の上の垂れ蓋により封止され、収納室の底部から上方に延びる支持体またはタブ上に適所に保持され、基部上の接着剤が収納室の底部と係合するのを防止する。輸送中のブラケットの移動を抑制するために、収納室内に、安定化手段が備えられる。【選択図】図４
2016514998.tif 000002
【特許請求の範囲】
【請求項１】
内部にブラケットを収容できる少なくとも１つの収納室または隔室を備える受け台を含む接着剤付きブラケット用包装容器であって、
前記ブラケットはアーチワイヤスロットを備える上部面と、基部を備える底部面と、対向するエッジと、前記基部上の接着材料とを含み、
前記収納室は、底部と、前記底部から上方に延び、ブラケットを挿入できる開口部を画定する側壁手段とを備え、
前記接着剤付きブラケット用包装容器はさらに、
前記収納室にあり、前記収納室内に挿入されたときに前記ブラケットを前記底部上に支持可能な、前記底部から上方に延び、前記接着剤が前記底壁手段と接触するのを防止する間隔保持手段と、
前記収納室にあり、少なくとも一方向への前記ブラケットの移動を防止するために、前記ブラケットと係合可能な安定化手段と、
閉じた位置にある場合、前記開口部を封入するための閉じた位置と開いた位置との間で移動可能な覆い手段と、を含み、
前記覆い手段は、前記覆い手段が閉じた位置にある場合そこから延び、前記ブラケットの前記上部面と係合し、前記ブラケットを前記間隔保持手段と係合するように付勢する、手段を含み、
これにより、前記ブラケットが、輸送中に前記収納室内で移動するのを抑制する、
接着剤付きブラケット用包装容器。
【請求項２】
前記間隔保持手段は、前記側壁手段から前記収納室の中心へと下方に傾斜している上面を含む、請求項１に記載の包装容器。
【請求項３】
前記収納室は、形状が長方形である、請求項１に記載の包装容器。
【請求項４】
前記収納室は、形状が円形である、請求項１に記載の包装容器。
【請求項５】
前記収納室は、形状が卵形である、請求項１に記載の包装容器。
【請求項６】
前記包装容器は、光硬化エネルギーに対して不透明で、前記接着剤は光硬化性である、請求項１に記載の包装容器。
【請求項７】
前記間隔保持手段は、前記収納室の中心に向かって下向きに傾斜する上方面を備える少なくとも１つの垂直延伸タブを含む、請求項１に記載の包装容器。
【請求項８】
前記間隔保持手段は、複数の垂直延伸タブを含む、請求項６に記載の包装容器。
【請求項９】
前記間隔保持手段は、前記底部から上方に延びる、請求項６に記載の包装容器。
【請求項１０】
前記安定化手段は、前記ブラケットの少なくとも一方の縁部を係合するための少なくとも１つの垂直延伸タブを含む、請求項１に記載の包装容器。
【請求項１１】
前記安定化手段は、前記ブラケットの複数の縁部に係合する複数の垂直延伸タブを含む、請求項９に記載の包装容器。
【請求項１２】
前記タブは、前記底部から上方に延びる、請求項１０に記載の包装容器。
【請求項１３】
前記覆い手段は、前記受け台に一端がヒンジ結合される可撓性材料でできており、かつ前記開口部を閉じ、または開いた位置に前記受け台から上方に持ち上げるよう、前記受け台を選択的に係合するための再付着性接着剤を備える、請求項１に記載の包装容器。
【請求項１４】
前記接着剤は、光硬化性である、請求項１に記載の包装容器。
【請求項１５】
前記覆いの材料は、前記接着剤の硬化を引き起こす可能性がある光エネルギーに対して不透明である、請求項１３に記載の包装容器。
【請求項１６】
前記覆い手段上の前記ブラケット係合手段は、前記着座手段で着座位置にブラケットを保持するよう、ブラケットに力を加えるための弾性材料を含む、請求項１３に記載の包装容器。
【請求項１７】
前記弾性材料は、軟質発泡体パッドの形態である、請求項１４に記載の包装容器。
【請求項１８】
内部にブラケットを収容できる少なくとも１つの収納室または隔室を備える受け台を含む接着剤付きブラケット用包装容器であって、
前記ブラケットはアーチワイヤスロットを備える上部面と、基部を備える底部面と、対向するエッジと、前記基部上の接着剤とを含み、
前記収納室は、底壁と、前記底壁から上方に延び、ブラケットを挿入できる開口部を画定する側壁手段とを備え、
前記接着剤付きブラケット用包装容器はさらに、
前記収納室にあり、前記収納室内に挿入されたときに前記ブラケットを前記底壁上に支持可能な、支持面を画定する前記底壁から上方に延び、前記接着剤が前記底壁と接触するのを防止する間隔保持手段と、
閉じた位置にある場合、前記開口部を封入するための閉じた位置と開いた位置との間で移動可能な覆い手段と、を含み、
前記覆い手段は、前記覆い手段が閉じた位置にある場合そこから延び、前記ブラケットの前記上部面と係合し、前記ブラケットを前記間隔保持手段の支持面と係合するように付勢する、手段を含み、
これにより、前記ブラケットが、輸送中に前記収納室内で移動するのを抑制する、
接着剤付きブラケット用包装容器。
【発明の詳細な説明】
【技術分野】
【０００１】
[0001]本発明は、ブラケットの使用者への輸送を容易にするための、接着剤付き（ｐｒｅｐａｓｔｅｄ）矯正器具、特に接着剤付き歯科矯正ブラケットのための、新規かつ改良された包装容器に関するものである。係る接着剤付きブラケットの基部は、ブラケットを歯に接着するための未硬化接着材料の層を含む。包装容器は１つまたは複数の収納室または隔室を有する受け台を含み、各受け台が接着剤付きブラケットを収容することが可能であり、接着剤付きブラケットは収納室に挿入され、収納室の基部から直立するタブの上に置かれ、接着剤付き基部が収納室の底部と係合するのを防止する。収納室はまた、輸送中のブラケットの安定性を維持するため延伸する安定化タブを含む。収納室の開口端の上に、垂れ蓋が設けられ、輸送中に収納室内の適所にブラケットを保持するよう、収納室の上部と係合する軟質発泡体要素を含む。
【背景技術】
【０００２】
[0002]従来、米国特許第４，９７８，００７号の、特にその図９および図１１に示すような、プリペイドブラケットの輸送用に収納室を備えた受け台を提供することはよく知られている。図９の実施形態は、収納室の底部に係合する接着剤付きブラケットを示し、一方で、図１１の実施形態は、ブラケットに接続され、ブラケットの背面の接着剤が収納室の底面に触れないように、収納室の基部の上にブラケットを宙吊りで保持する整列装置または治具を持つ接着剤付きブラケットを示す。収納室内の接着剤付きブラケットの包装を示す他の従来技術の特許は、米国特許第４，９７９，６１１号、第５，２２１，２０２号、第５，３２８，３６３号、第５，３４８，１５４号、第５，５３８，１２９号、第５，７６２，１９２号、第６，９６０，０７９号、第７，３８１，０５３号、そして、第７，７２６，４７０号がある。
【発明の概要】
【発明が解決しようとする課題】
【０００３】
[0003]接着剤付きブラケットが収納室の底に係合するような、公知の従来技術の収納室を有する受け台に関しては、器具を収納室から取り外す際に接着材料の一部が収納室に残ってしまう可能性が常にあり、それらの場合は、適切に器具を患者の歯に接着するには不十分な接着材料がブラケット基部上に残る。
【０００４】
[0004]治具や整列装置によってブラケットが支持され、底部から宙吊りで保持される収納室を持つ受け台に関しては、収納室からブラケットを歯に移動する際に、治具がブラケットに取り付けられているのを好まない臨床医は多い。歯にブラケットを装着する速度を上げ、いったん歯の上に置かれたらブラケットから治具を取り外す必要がないよう、ブラケットは単に治具なしが好まれる。時にはそれは、ブラケットの歯の上への適切な配置に関連する問題となる。特に、接着剤が未硬化である場合にそれが言える。
【０００５】
[0005]また、米国特許第５，２２１，２０２号に示すように、ブラケットが直立隆起部によって収納室の最下部から離れているような収納室を提供することが知られているが、この収納室は、ブラケットが凸部に沿って移動し接着材料と器具の基部の配置を乱すのを防ぐ助けとなる、収納室内安定化タブが含まれていないので異論の余地がある。
【課題を解決するための手段】
【０００６】
[0006]本発明に係る接着剤付きブラケット用包装容器は接着剤付き器具、特にブラケットを収容するために形成された１つまたは複数の収納室を有する受け台、および収納室を封入し、後になって歯への接着強度を低下させうる、ブラケットの基部上の接着材料の移動と接着材料の損失を防止するために、輸送中に実質的に同じ位置にブラケットを保持することができる垂れ蓋の形をした覆いを含む。従って、本発明の包装収納室は、基部に光接着剤の未硬化層を有する接着剤付き矯正器具を、製造者から使用者への輸送中保護する。しかしながら、未硬化の接着剤は、このような歯のような硬い表面上に器具を接着する代わりに、化学的または熱的に硬化可能な保護物であるかもしれないことを理解されたい。
【０００７】
[0007]インディアナ州、ラポートのＴＰ  Ｏｒｔｈｏｄｏｎｔｉｃｓ，  Ｉｎｃ．が販売する、パイソン光硬化接着剤（Ｐｙｔｈｏｎ  Ｌｉｇｈｔ  Ｃｕｒｅｄ  Ａｄｈｅｓｉｖｅ）のような、任意の適切な光硬化性ポリマー樹脂または接着剤を器具に使用してもよい。Ｐｙｔｈｏｎは、ＴＰ  Ｏｒｔｈｏｄｏｎｔｉｃｓ，  Ｉｎｃ．が所有する登録商標である。適切な促進剤硬化タイプの接着剤は、ＴＰ  Ｏｒｔｈｏｄｏｎｔｉｃｓ，  Ｉｎｃ．が販売する、パイソンワンステップ接着剤（Ｐｙｔｈｏｎ  Ｏｎｅ  Ｓｔｅｐ  Ａｄｈｅｓｉｖｅ）またはライトオンノーミックス接着剤（Ｒｉｇｈｔ  Ｏｎ  Ｎｏ  Ｍｉｘ  Ａｄｈｅｓｉｖｅ）であろう。Ｐｙｔｈｏｎ  Ｏｎｅ  Ｓｔｅｐ、およびＲｉｇｈｔ  Ｏｎは、ＴＰ  Ｏｒｔｈｏｄｏｎｔｉｃｓ，  Ｉｎｃ．が所有する登録商標である。従って、本出願における接着剤のようなポリマー樹脂への言及は、歯に器具を接着するための任意の適切な光、熱または化学的硬化性接着剤に関連することを意図している。
【０００８】
[0008]本発明の収納室は、１つまたは複数の収納室を支持することができる受け台に組み込まれている。接着剤付き器具が収納室内に挿入された後、収納室を閉じるために、覆い部材が各収納室と関連付けられている。接着剤付き器具が使用者に輸送される間に、光エネルギーや化学放射線が収納室に入り光硬化性接着剤を硬化させるのを防止するために、受け台と覆いと収納室はすべて、好ましくは、不透明な材料でできている。収納室内には、収納室の底部の上方にブラケットを支持し、ブラケットの基部に未硬化の接着剤の小さな領域に係合するための、収納室の底部から直立するタブがある。収納室の、ブラケット上部係合面は、収納室内のブラケットの位置を中央にし、異なる幅のブラケットに対応するよう、好ましくは収納室の中央へと下向きに勾配して形成される。器具を安定させ、輸送中のずれを防止するために、他の直立タブがブラケットの収納室係合端部に対向する壁に沿って設けられている。上面から見て、収納室の形状は長方形または正方形であってもよいが、接着剤付き器具を収納室の中に挿入することができるような寸法であれば円形または卵形でもよいことを理解されたい。
【０００９】
[0009]いったん接着剤付きブラケットまたは器具が収納室内に挿入され、収納室の底部から直立タブに支えられると、可撓性材料の覆い部材が、収納室の開口端部の上に配置され、その中に収納室が位置する受け台に、その縁部の周りが適切に接着剤で固定される。タブは、垂れ蓋を把持し、覆いの開閉を容易にするために、垂れ蓋または覆いの一方の端部に設けられている。覆い部材の他方の端部は、好ましくは、恒久的に受け台に固定されるように、接着剤によって、または他の方法で取り付けられる。収納室開口部の周囲で覆いを閉じるのに使用される接着剤は、好ましくは、覆いを所定の場所に維持するための接着力を失うことなく、覆いを開く、および／または閉じることができる、再付着性タイプである。
【００１０】
[00010]１つまたは複数の収納室が形成されている受け台を含む本発明の包装容器は、患者の歯列矯正治療に接着剤付き器具を使用するように意図する歯列矯正開業医にとって使いやすいものである。接着剤付きブラケットの光硬化接着剤は粘着性であり、従って、歯の表面に粘着し、適切に配置された場合、硬化用光をあて接着剤を硬化し、器具を歯に固定できることが理解されるであろう。
【図面の簡単な説明】
【００１１】
【図１】[00011]図１は、収納室上の高い位置で、収納室から取り外されたブラケットを示す、本発明に係る収納室とブラケットの拡大斜視図である。
【図２】[00012]図２は、ブラケットが収納室に挿入された、図１に係る収納室の拡大斜視図である。
【図３】[00013]図３は、覆いが設けられ、収納室を閉じ、輸送のためにブラケットを収納室内に封止するために閉じた位置にある本発明に係る収納室の拡大斜視図である。
【図４】[00014]図４は、覆いがめくられ、収納室の内容物とブラケットの取り付けの位置を示す、図３に類似の拡大斜視図である。
【図５】[00015]図５は、実質的に図２の線５−５に沿う拡大断面図である。
【図６】[00016]図６は、ブラケットの基部上の配置を示すために、接着剤層が部分的に切り取られている前記ブラケットの拡大底面斜視図である。
【図７】[00017]図７は、図５のブラケットの拡大側面断面図である。
【図８】[00018]図８は、図１および図２に示す収納室の拡大平面図である。
【図９】[00019]図９は、複数のブラケットを運ぶための複数の収納室を中に有する受け台であって、複数の覆いが収納室の一部の上に閉じた位置にあるのが示され、ブラケットを収納室に挿入または収納室から取り外すことができるよう１つの覆いは収納室からめくられて収納室を開いている様子が示された拡大斜視図である。
【図１０】[00020]図１０は、収納室の形状が円形である、本発明に係る変形収納室の拡大平面図である。
【図１１】[00021]図１１は、図１０の収納室の拡大立面図である。
【図１２】[00022]図１２は、収納室の形状が卵形である、本発明に係る別の変形収納室の拡大平面図である。
【図１３】[00023]図１３は、図１２の収納室の拡大立面図である。
【発明を実施するための形態】
【００１２】
[00024]本発明の包装容器は全体として収納室を有する受け台を含み、その受け台内部に隔室が設けられ、より明確に理解されるように、接着剤付きブラケットを所定の位置に挿入可能で、特にブラケットは輸送中の接着剤の損失と硬化から保護されている基部上の未硬化の接着剤を有するものである。
【００１３】
[00025]受け台には、単一の収納室または隔室のみ、または複数の収納室を設けてもよい。図１〜図８に示す実施形態は、受け台上に単一の収納室を用いた場合を示す。図９に見られるように、患者のためのシステムとして、多くのブラケットを輸送するため、複数の収納室を受け台に設けてもよい。
【００１４】
[00026]図１〜図４に示す収納室は、受け台上の形状が長方形または正方形であり、その中にブラケットを収容することができる隔室を示す。
【００１５】
[00027]収納室は、例えば、鋳造法、熱形成法、等により、容易に所望の形状に成形することができる適切なポリスチレンなどのプラスチックまたは樹脂材料などの任意の適切な材料でできていてもよい。
【００１６】
[00028]図１〜図４に示す受け台および収納室構造は形状が正方形または長方形のみであるが、図１０および図１１の実施形態で示すような円形形状、または図１２および図１３の実施形態で示すように卵型形状、またはその他、中に接着剤付きブラケットを収容することができる空間を形成するような幾何学的形状とすることができる。
【００１７】
[00029]接着剤付きブラケットが、使用する接着材料の種類に応じてその後硬化させることができる、基部上の未硬化の接着剤または接着材料の層を有するものであることが本明細書において理解されよう。それが、これらのタイプのブラケットに通常用いられる光硬化性材料である場合には、接着剤を硬化光にさらすことにより硬化可能である。それが、化学的硬化性材料である場合には、層を硬化させるために、特定の化学物質を使用されるかもしれない。
【００１８】
[00030]ここで特に図１および図２を参照すると、接着剤付きブラケット用の容器は、形状が長方形または正方形であるとして示されており、全体として符号１５で示され、それは全体として符号１６で示される接着剤付きブラケットを収容するために形成されている。
【００１９】
[00031]容器は、収納室の上部開口部の周囲に平坦な表面を形成する受け台１９を含む。対向する直立壁２２および２３、また壁２２および２３に対して直角に延びる対向する直立壁２４および２５は、受け台から底壁２６へと下方に延びる。
【００２０】
[00032]全体として符号１５で示されている収納室は、様々な幅のブラケットを収容できるようサイズ調整され、内部が構成されることが理解されよう。ブラケットは、適切な工具により簡単に収納室に挿入しまた取り外すことができる。
【００２１】
[00033]底壁２６から直立し、壁２４および２５に取り付けられ、収納室内の場合ブラケットがその上に置かれ、また、勾配上部ブラケット係合面２７ａおよび２８ａを含む、垂直延伸タブ、または支持体２７および２８が収納室の内側に備えられる。収納室が様々な幅のブラケットを収容できるように、これらのタブの上部または勾配ブラケット係合面が収納室の中心に向かって下方に傾斜している。さらに、勾配面は、ブラケットが挿入されるとブラケットを収納室内で中心に置くのに役立つ。
【００２２】
[00034]収納室内でのブラケットに安定性を与えるため、垂直延伸タブ３０および３１が設けられ、特に図８に示されるように、収納室の底部２６から上方に、また互いに向かって側壁２２および２３から内方向に延びる。それらは収納室で収容されるブラケットの大きさに合わせてサイズ調整されている。
【００２３】
[00035]安定化タブ３０および３１は、ブラケットが、収納室内で前方または後方に移動できないように、ブラケット基部の上下縁部でブラケットと係合するように働く。ブラケットが収納室内でわずかに横に移動することはそれでもまだ可能であるが、直立タブはブラケットの基部上の接着剤層を乱さないようにサイズ調整されている。さらに、ブラケット基部の両側面と係合し、収納室内でブラケットが前後に移動するのを防ぐために収納室の側壁に安定化タブやバーをさらに設けてもよいことを理解されたい。
【００２４】
[00036]収納室の使用を例示する目的のために、本発明の収納室内に、いかなる接着剤付きブラケットを配置することもできるが、標準的なエッジワイズブラケット１６が示されている。このエッジワイズブラケットは、外向きのアーチワイヤスロット３５および一対のタイウィング３７と３８を含む。基部４０は、その上にタイウィングが装着され、また、ブラケットを接着剤付きブラケットにするために、未硬化の接着剤４２の層が基部上に設けられる。
【００２５】
[00037]前述したように、接着剤付き基部を持ついかなるタイプのブラケットも、本発明の収納室で輸送可能であることが理解されよう。例えば、それは、シングルウィングブラケットであってもよく、トリプルウィングブラケットであってもよく、または自己結紮ブラケットまたは基部に未硬化の接着剤層が設けられている他の任意の適切なタイプのブラケットであってもよい。ツインウィングブラケットが、図示されている。さらに、バッカルチューブのような他の接着剤付き器具も、この収納室内で輸送するよう備えられてもよいことを理解されたい。
【００２６】
[00038]包装容器に挿入される前に治具をブラケットに取り付ける米国特許第７，４６９，７８３号に示されるブラケットの包装とは異なり、矯正歯科医の多くは、歯へのブラケットの配置を完了する前に治具を取り外すのに煩わされなくてすむよう、歯にブラケットを取り付ける際、治具なしのブラケットを好むため、本発明については、ブラケットに治具が備えられていないことが理解されるであろう。
【００２７】
[00039]収納室は、任意の適切な材料から作製することができるが、それがポリスチレンプラスチックまたは任意の他の適切なプラスチックから適切に成形することができることが理解されよう。光が収納室に入りブラケット基部に施された光硬化性接着剤が部分的または完全な硬化を引き起こすのを排除するために、収納室の開口端部をおおう覆いがそうであるように、収納室は、好ましくは不透明な材料であることが理解されよう。
【００２８】
[00040]図３、図４および図５を参照すると、それらの図の収納室は、収納室開口部上に配置され、再付着性接着剤によって適所に保持されうる、全体として符号４２で示される覆いを備えていることが分かる。収納室内のブラケットを、挿入および／または取り外すための収納室への到達を可能にするよう、再付着性接着剤は、覆い部材に好適に用いられ、覆いを持ち上げて開くことを可能にする。接着剤を受け台に塗布してもよいことが理解されよう。
【００２９】
[00041]図３と図５では、覆い４２は閉じた位置にあり、図４では、部分的に開いた位置にある。覆いは、閉じた位置の際に収納室の受け台と整列し、所定の位置に覆いを完全に固定する再付着性接着剤４４の領域も含む。ブラケットに光硬化性接着剤を使用する場合は特に、ブラケット上の接着剤のあらゆる予備硬化の原因となる光エネルギーに対して、覆いが不透明であることが必要である。なお、覆い部材は、可撓性材料からなり、光が収納室内部に侵入し、ブラケットの基部上の接着剤の硬化に影響を与えるのを防ぐために必要な不透明さを有する適切なプラスチックまたは紙であることが理解されよう。
【００３０】
[00042]特に図３および図４に示すように、覆い部材は、その後端で、恒久的に受け台上の収納室の上部に取り付けられ、覆いが収納室受け台の両側面と前部に係合することになる領域のみに再付着性接着剤４４を有するかもしれない。接着剤４４は、逆に、受け台１９に塗布することができることは理解されよう。
【００３１】
[00043]タング４２ａは、収納室の前部を越えて延びる覆い上に設けられており、そのため、収納室へ到達するために覆いを開くこと、または覆いを閉じることが望まれる場合、それは道具によって、または人の手によって容易に係合される。
【００３２】
[00044]さらに、覆いはその下側に位置する発泡体パッド４８を備え、そのため、覆いが閉じた位置にある場合、特に図５に示すようにパッドがブラケットの上面に係合し、収納室内のブラケットの移動を防ぐ。発泡体パッドはサイズ調節され、ブラケットが収納室内で輸送されたとき、常に適所を維持するのに役立つよう勾配のある支持体に対してブラケットにわずかに下向きの力を与える性質のものである。発泡体パッドはスポンジ性を与えるような任意の適切な構造であって、覆いを収納室につけた場合、何らかのスポンジ性をそれに与えてもよい。
【００３３】
[00045]ここで複数の収納室を持つ受け台を備え、収納室の一部は覆いを有し、１つの収納室は、覆いが部分的に開いている、図９の実施形態を参照する。全体として符号５１で示す本実施形態は、複数の収納室５６が６個ずつのグループに配列された受け台５４を含む。特に受け台は、ユニットの成形工程中に収納室と一緒にすべて形成されて、そのため様々な収納室が、ブラケットを支持する直立タブとブラケットを適所に安定させる直立タブとともに含まれている。内部にブラケットが取り付けられていない収納室が２つあることが示され、また、開いている残りの収納室は収納室にブラケットが取り付けられた状態で示されている。収納室のうち３つは収納室内にブラケットを封入するように収納室を覆いが覆っており、１つの収納室はブラケットを挿入および／または取り外すため収納室へ到達させるために覆いは開いている。図９のこの実施形態は、１２個の収納室を有する受け台を示すが、他の受け台は、一度に、２個、４個、６個、または任意の組み合わせ数の収納室を有していてもよいことが理解されよう。図９は、複数のブラケットを扱うために受け台上の複数の収納室を使用する例、特に特定の患者のためにシステムが１つの受け台上で提供されており、システムに応じて患者に特定の歯のためにブラケットのすべてが適切な大きさに調節され、作られている場合の例を示すにすぎない。
【００３４】
[00046]さらに、図１０〜図１３の実施形態によって示されるように、収納室の形状は長方形または正方形以外であってもよいことが理解されよう。図１０および図１１の実施形態は、円形であるが、基部取付タブ６２および６３と安定化タブ６５とを含む収納室６０を示す。直立タブまたは支持体６２、６３および６５は、ブラケットが収納室内に挿入され、タブ６２および６３上に置かれ、タブ６５によって適所で安定化するのを可能にするという点で図１〜図８の実施形態と同じ機能を提供する。図１〜図８の実施形態のようにこれらのタブは収納室の中心に向かって下向きに傾斜して形成されている。収納室６０はまた、底壁６７を含み、タブ６２、６３および６５のすべては底壁に取り付けられ、そこから上方に延びる、または直立している。
【００３５】
[00047]収納室は、ブラケットの基部上の未硬化の接着剤への影響を最小限にするよう、当然のことながら、輸送されるはずでありその予定のタイプのブラケットを収容するために、適切にサイズ調節されるであろう。図示されていないが、収納室開口部を覆い、封入し、完全にブラケットを密封し、ブラケットの基部上の光硬化性接着剤に影響を与える可能性があるいかなる光も入るのを排除するように適切な覆いが備えられることが理解されよう。
【００３６】
[00048]既に述べたように収納室は、ブラケットが挿入され、直立タブ上にその基部で支持され、安定化タブにより安定化するための十分な空間を持つように、任意の適切な形状に形成することができる。
【００３７】
[00049]別の実施形態は、図１２に示され、収納室は楕円または卵形であり、全体として符号７０で指定され、また、受け台面７２、底壁７４、直立支持タブ７６および直立安定化タブ７８を含む。タブは、底壁７４から上方に延び、側壁と実質的に一体であり、他の実施形態のように、ブラケットの縁部によって係合される勾配のある上面を有する。収納室７０の側壁も、卵形であり、底壁７４へと下方に延びる。本実施形態では、底壁７４は、下部にやや丸みを帯びているが、収納室６０の実施形態における平坦壁６７のように平らにすることもできる。再度、図１〜図５の実施形態に示されるタイプの適切な覆いを備えていてもよく、覆いは収納室の受け台部分の覆い上の再付着性接着剤によって最初所定の位置に保持することができる可撓性材料でできており、ブラケットを挿入および／または取り外すため収納室内に到達するため、収納室を開くよう持ち上げることができる。
【００３８】
[00050]収納室の形状は、任意の適切なタイプであってもよく、図１０〜図１３に示した、丸形と卵形が単に収納室の異なる形状の説明図であることは理解されよう。収納室は、ブラケットを挿入できる隔室と、ブラケットの基部を支持するためのタブと、また、収納室内のブラケットを安定化させるためのタブと、を持つ必要がある。さらに図１０〜図１２に示す収納室は、適切に、好ましくは、ポリスチレンプラスチックで成形される。
【００３９】
[00051]本発明の特定の好ましい実施形態に関して説明してきたが、当業者によって理解されるように、本発明は多数の変更、改変および再構成が可能であり、そのような変更、改変および再構成は、以下の特許請求の範囲に含まれるよう意図されることを理解されたい。
【図１】
2016514998.tif 000003
【図２】
2016514998.tif 000004
【図３】
2016514998.tif 000005
【図４】
2016514998.tif 000006
【図５】
2016514998.tif 000007
【図６】
2016514998.tif 000008
【図７】
2016514998.tif 000009
【図８】
2016514998.tif 000010
【図９】
2016514998.tif 000011
【図１０】
2016514998.tif 000012
【図１１】
2016514998.tif 000013
【図１２】
2016514998.tif 000014
【図１３】
2016514998.tif 000015
【国際調査報告】
2016514998.tif 000016